(57)【要約】【課題】  高速回転時に切刃の倒れを防止することが可能な切削ブレードを提供することである。【解決手段】  円形ハブが一体的に形成された円形基台と、該円形基台の前記円形ハブと反対側の側面外周部に形成された切刃とから少なくとも構成され、切削装置のスピンドルの先端部に装着される切削ブレードであって、該円形ハブに円形又は環状座繰り部を形成し、該座繰り部の外周側を環状バランス部としたことを特徴とする。【選択図】図６
2009269158.tif 000002
【特許請求の範囲】
【請求項１】
円形ハブが一体的に形成された円形基台と、該円形基台の前記円形ハブと反対側の側面外周部に形成された切刃とから少なくとも構成され、切削装置のスピンドルの先端部に装着される切削ブレードであって、
該円形ハブに円形又は環状座繰り部を形成し、該座繰り部の外周側を環状バランス部としたことを特徴とする切削ブレード。
【請求項２】
円形ハブが一体的に形成された円形基台と、該円形基台の前記円形ハブと反対側の側面外周部に形成された切刃と、該円形基台の外周と該円形ハブの基部とを接続する環状テーパー部とから少なくとも構成され、切削装置のスピンドルの先端部に装着される切削ブレードであって、
該環状テーパー部の該円形ハブとの接続部分に環状の切欠を形成したことを特徴とする切削ブレード。
【発明の詳細な説明】
【技術分野】
【０００１】
本発明は、切削装置のスピンドルに装着されて、被加工物を切削する切削ブレードに関する。
【背景技術】
【０００２】
一般的にダイサーと呼ばれる切削装置は、スピンドルの先端にフランジマウントを取り付け、このフランジマウントに薄い切刃を有する切削ブレードを装着してナットで固定し、ＩＣ又はＬＳＩ等が形成されたシリコンウエーハや、光導波路等が形成されたリオブ酸リチウム（ＬＮ）等のセラミック基板、樹脂基板、ガラス板等を切断し、個々のＬＳＩチップや、電子デバイス、又は光デバイスに分割する分野で使用されている。
【０００３】
切削装置で使用される切削ブレードにハブブレードと呼ばれるものがある。このハブブレードは、ハンドリングを容易にするために形成された円形ハブを有する円形基台の外周にニッケル母材中にダイヤモンド砥粒が分散されてなる切刃を電着して構成されている。
【０００４】
このような切削ブレードは、スピンドルに装着されてスピンドルと共に２００００〜６００００ｒｐｍ程度で回転されてウエーハ等の被加工物を切削し、個々のデバイス等に分割する。
【０００５】
切削ブレードによる切削は微細な脆性破壊によって遂行されるため、切削された被加工物の外周にはチッピングと呼ばれるミクロン単位の微細な欠けが発生する。このような欠けは被加工物の特性や抗折強度等を低下させる恐れがあるため、出来得る限り小さく抑えることが望まれる。一般に、切削ブレードを高速で回転させると、１砥粒当たりの仕事量が減るため、発生する欠けの大きさは抑えられる。
【特許文献１】特開２００２−３０７２０８号公報
【発明の開示】
【発明が解決しようとする課題】
【０００６】
一方、切削ブレードは高速回転させると遠心力によって切削ブレードの外周方向に伸長する。ところが、ハブブレードの切刃は円形基台の一側面外周部に環状に形成されており、ハブブレードの形状は円形ハブ側と切刃側とで非対称になっている。
【０００７】
よって、ハブブレードを高速で回転させると円形ハブを有する基台部分の伸長量に比べて切刃部分の伸長量が大きくなり、その結果、切刃が基台側に倒れるという現象が発生する。このような現象は切削ブレードの種類にもよるが、６００００ｒｐｍ以上の高速回転で特に顕著に見受けられる。
【０００８】
切刃が基台側に倒れた状態で切削が行われると、加工負荷の偏りによるチッピングの増大や切削ブレードの蛇行等が発生し、ひいては切削ブレードや被加工物を破損させてしまうという問題が生じる。
【０００９】
本発明はこのような点に鑑みてなされたものであり、その目的とするところは、高速回転時に切刃の倒れを生じることのない切削ブレードを提供することである。
【課題を解決するための手段】
【００１０】
請求項１記載の発明によると、円形ハブが一体的に形成された円形基台と、該円形基台の前記円形ハブと反対側の側面外周部に形成された切刃とから少なくとも構成され、切削装置のスピンドルの先端部に装着される切削ブレードであって、該円形ハブに円形又は環状座繰り部を形成し、該座繰り部の外周側を環状バランス部としたことを特徴とする切削ブレードが提供される。
【００１１】
請求項２記載の発明によると、円形ハブが一体的に形成された円形基台と、該円形基台の前記円形ハブと反対側の側面外周部に形成された切刃と、該円形基台の外周と該円形ハブの基部とを接続する環状テーパー部とから少なくとも構成され、切削装置のスピンドルの先端部に装着される切削ブレードであって、該環状テーパー部の該円形ハブとの接続部分に環状の切欠を形成したことを特徴とする切削ブレードが提供される。
【発明の効果】
【００１２】
請求項１記載の発明によると、円形ハブに円形又は環状座繰り部を形成し、該座繰り部の外周側を環状バランス部としたことにより、高速回転時の基台側と切刃側との伸長量が同等となり、切刃の倒れを防止することができる。従って、高速回転での切削加工が可能となり、切削時のチッピングの発生を抑えることができる。
【００１３】
請求項２記載の発明によると、環状テーパー部の円形ハブとの接続部分に環状の切欠きを形成したことにより、高速回転時の基台側と切刃側との伸長量が同等となり、切刃の倒れを防止することができる。従って、高速回転での切削加工が可能となり、切削時のチッピングの発生を抑えることができる。
【発明を実施するための最良の形態】
【００１４】
以下、本発明の実施形態を図面を参照して詳細に説明する。図１は半導体ウエーハをダイシングして個々のチップ（デバイス）に分割することのできる本発明実施形態に係る切削装置２の外観を示している。
【００１５】
切削装置２の前面側には、オペレータが加工条件等の装置に対する指示を入力するための操作手段４が設けられている。装置上部には、オペレータに対する案内画面や後述する撮像手段によって撮像された画像が表示されるＣＲＴ等の表示手段６が設けられている。
【００１６】
図２に示すように、ダイシング対象のウエーハＷの表面においては、第１のストリートＳ１と第２ストリートＳ２とが直交して形成されており、第１のストリートＳ１と第２のストリートＳ２とによって区画されて多数のデバイスＤがウエーハＷ上に形成されている。
【００１７】
ウエーハＷは粘着テープであるダイシングテープＴに貼着され、ダイシングテープＴの外周縁部は環状フレームＦに貼着されている。これにより、ウエーハＷはダイシングテープＴを介してフレームＦに支持された状態となり、図１に示したウエーハカセット８中にウエーハが複数枚（例えば２５枚）収容される。ウエーハカセット８は上下動可能なカセットエレベータ９上に載置される。
【００１８】
ウエーハカセット８の後方には、ウエーハカセット８から切削前のウエーハＷを搬出するとともに、切削後のウエーハをウエーハカセット８に搬入する搬出入手段１０が配設されている。ウエーハカセット８と搬出入手段１０との間には、搬出入対象のウエーハが一時的に載置される領域である仮置き領域１２が設けられており、仮置き領域１２には、ウエーハＷを一定の位置に位置合わせする位置合わせ手段１４が配設されている。
【００１９】
仮置き領域１２の近傍には、ウエーハＷと一体となったフレームＦを吸着して搬送する旋回アームを有する搬送手段１６が配設されており、仮置き領域１２に搬出されたウエーハＷは、搬送手段１６により吸着されてチャックテーブル１８上に搬送され、このチャックテーブル１８に吸引されるとともに、複数の固定手段１９によりフレームＦが固定されることでチャックテーブル１８上に保持される。
【００２０】
チャックテーブル１８は、回転可能且つＸ軸方向に往復動可能に構成されており、チャックテーブル１８のＸ軸方向の移動経路の上方には、ウエーハＷの切削すべきストリートを検出するアライメント手段２０が配設されている。
【００２１】
アライメント手段２０は、ウエーハＷの表面を撮像する撮像手段２２を備えており、撮像により取得した画像に基づき、パターンマッチング等の処理によって切削すべきストリートを検出することができる。撮像手段２２によって取得された画像は、表示手段６に表示される。
【００２２】
アライメント手段２０の左側には、チャックテーブル１８に保持されたウエーハＷに対して切削加工を施す切削手段２４が配設されている。切削手段２４はアライメント手段２０と一体的に構成されており、両者が連動してＹ軸方向及びＺ軸方向に移動する。
【００２３】
切削手段２４は、回転可能なスピンドル２６の先端に切削ブレード２８が装着されて構成され、Ｙ軸方向及びＺ軸方向に移動可能となっている。切削ブレード２８は撮像手段２２のＸ軸方向の延長線上に位置している。
【００２４】
図３を参照すると、スピンドルに切削ブレードを装着する様子を示す分解斜視図が示されている。スピンドルユニット３０のスピンドルハウジング３２中には、図示しないサーボモータにより回転駆動されるスピンドル２６が回転可能に収容されている。スピンドル２６はテーパ部２６ａ及び先端小径部２６ｂを有しており、先端にはねじ穴３４が形成されている。ねじ穴３４は底部を有する盲状となっている。
【００２５】
３６はボス部（凸部）３８と、ボス部３８と一体的に形成された固定フランジ４０とから構成されるマウントフランジであり、ボス部３８には雄ねじ４２が形成されている。更に、ブレードマウント３６は装着穴４３を有している。
【００２６】
マウントフランジ３６は、装着穴４３をスピンドル２６の先端小径部２６ｂを介してテーパ部２６ａまで挿入し、ねじ４４をねじ穴３４に螺合して締め付けることにより、スピンドル２６のテーパ部２６ａに取り付けられる。
【００２７】
切削ブレード２８はハブブレードと呼ばれ、円形ハブ４８を有する円形基台４６の外周にニッケル母材中にダイヤモンド砥粒が分散された切刃５０が電着されて構成されている。
【００２８】
切削ブレード２８をスピンドル２６に取り付けるには、切削ブレード２８の装着穴５２をマウントフランジ３６のボス部３８に挿入し、固定ナット５４をボス部３８の雄ねじ４２に螺合して締め付けることにより、切削ブレード２８がスピンドル２６に取り付けられる。
【００２９】
図４を参照すると、マウントフランジ３６の取付構造の他の実施形態が示されている。本実施形態では、スピンドル２６の先端小径部２６ｂに雄ねじ３４´が形成されている。更に、スピンドル２６の先端に中心盲穴３３が形成されている。
【００３０】
マウントフランジ３６をスピンドル２６に装着するには、マウントフランジ３６の装着穴４３をスピンドル２６の先端小径部２６ｂを介してテーパ部２６ａまで挿入して、ナット４４ａを雄ねじ３４´に螺合して締め付けることにより、マウントフランジ３６はスピンドル２６の先端部に取り付けられる。
【００３１】
このように構成された切削装置２において、ウエーハカセット８に収容されたウエーハＷは、搬出入手段１０によってフレームＦが挟持され、搬出入手段１０が装置後方（Ｙ軸方向）に移動し、仮置き領域１２においてその挟持が解除されることにより、仮置き領域１２に載置される。そして、位置合わせ手段１４が互いに接近する方向に移動することにより、ウエーハＷが一定の位置に位置づけられる。
【００３２】
次いで、搬送手段１６によってフレームＦは吸着され、搬送手段１６が旋回することによりフレームＦと一体となったウエーハＷがチャックテーブル１８に搬送されてチャックテーブル１８により保持される。そして、チャックテーブル１８がＸ軸方向に移動してウエーハＷはアライメント手段２０の直下に位置づけられる。
【００３３】
アライメント手段２０が切削すべきストリートを検出するアライメントの際のパターンマッチングに用いる画像は、切削前に予め取得しておく必要がある。そこで、ウエーハＷがアライメント手段２０の直下に位置づけられると、撮像手段２２がウエーハＷの表面を撮像し、撮像した画像を表示手段６に表示させる。
【００３４】
切削装置２のオペレータは、操作手段４を操作することにより、撮像手段２２をゆっくりと移動させながら、必要に応じてチャックテーブル１８も移動させて、パターンマッチングのターゲットとなるパターンを探索する。
【００３５】
オペレータがキーパターンを決定すると、そのキーパターンを含む画像が切削装置２のコントローラに備えたメモリに記憶される。また、そのキーパターンとストリートＳ１，Ｓ２の中心線との距離を座標値等によって求め、その値もメモリに記憶させておく。
【００３６】
更に、撮像手段２２を移動させることにより、隣り合うストリートとストリートとの間隔（ストリートピッチ）を座標値等によって求め、ストリートピッチの値についてもコントローラのメモリに記憶させておく。
【００３７】
ウエーハＷのストリートに沿った切断の際には、記憶させたキーパターンの画像と実際に撮像手段２２により撮像されて取得した画像とのパターンマッチングをアライメント手段２０にて行う。
【００３８】
そして、パターンがマッチングしたときは、キーパターンとストリートの中心線との距離分だけ切削手段２４をＹ軸方向に移動させることにより、切削しようとするストリートと切削ブレード２８との位置合わせを行う。
【００３９】
切削しようとするストリートと切削ブレード２８との位置合わせが行われた状態で、チャックテーブル１８をＸ軸方向に移動させるとともに、切削ブレード２８を高速回転させながら切削手段２４を下降させると、位置合わせされたストリートが切削される。
【００４０】
メモリに記憶されたストリートピッチずつ切削手段２４をＹ軸方向にインデックス送りにしながら切削を行うことにより、同方向のストリートＳ１が全て切削される。更に、チャックテーブル１８を９０°回転させてから、上記と同様の切削を行うと、ストリートＳ２も全て切削され、個々のデバイスＤに分割される。
【００４１】
切削が終了したウエーハＷはチャックテーブル１８をＸ軸方向に移動してから、Ｙ軸方向に移動可能な搬送手段２５により把持されて洗浄装置２７まで搬送される。洗浄装置２７では、洗浄ノズルから水を噴射しながらウエーハＷを低速回転（例えば３００ｒｐｍ）させることによりウエーハを洗浄する。
【００４２】
洗浄後、ウエーハＷを高速回転（例えば３０００ｒｐｍ）させながら、エアノズルからエアを噴出させてウエーハＷを乾燥させた後、搬送手段１６によりウエーハＷを吸着して仮置き領域１２に戻し、更に搬出入手段１０によりウエーハカセット８の元の収納場所にウエーハＷが戻される。
【００４３】
次に、図５乃至図９を参照して、本発明実施形態に係る切削ブレードについて詳細に説明する。図５を参照すると、ハブブレードと呼ばれる従来の切削ブレード２８の縦断面図が示されている。切削ブレード２８は、円形ハブ４８を有する円形基台４６の外周にニッケル母材中にダイヤモンド砥粒が分散された切刃５０が電着されて構成されている。
【００４４】
切削ブレード２８は更に、装着穴５２と、円形基台４６の両側に形成された浅い座繰り部５６，５８と、円形基台４６の外周と円形ハブ４８の基部とを接続する環状テーパー部６０を有している。
【００４５】
座繰り部５６，５８は、切削ブレード２８をマウントフランジ３６に装着する時に、当接面積を減少させてスピンドル２６に対する装着精度を高めるために設けられている。図５（Ａ）を参照すると明らかなように、切削ブレード２８の形状は円形ハブ４８側と切刃５０側とで左右非対称に形成されている。
【００４６】
よって、切削ブレード２８を例えば６００００ｒｐｍ以上の高速で回転させると、基台４６部分の伸長量に比べて切刃５０部分の伸長量が大きくなり、その結果、図５（Ｂ）の矢印６２で示すように切刃５０が基台側に倒れるという現象が生じる。
【００４７】
本発明は、このような切刃５０の倒れが生じることのない切削ブレードを提供せんとするものであり、以下、本発明の実施形態を図６乃至図９を参照して詳細に説明する。
【００４８】
図６（Ａ）を参照すると、本発明第１実施形態の切削ブレード２８Ａの縦断面図が示されている。本実施形態の切削ブレード２８Ａでは、円形ハブ４８に深さの深い（例えば３ｍｍ〜５ｍｍ）円形座繰り部６４を形成し、円形座繰り部６４の外周側を環状バランス部６６とする。
【００４９】
このように円形ハブ４８に深さの深い円形座繰り部６４を形成したことにより、切削ブレード２８Ａの高速回転時に基台４６部分が外周方向に延びやすくなり、基台４６側と切刃５０側との伸長量が概略同等となり、高速回転時に切刃５０の基台４６側への倒れを防止することができる。
【００５０】
従って、切削ブレード２８Ａを使用した高速回転での切削加工が可能となり、切削時のチッピングの発生を抑えることができる。尚、切削ブレード２８Ａが高速回転になればなるほど、円形座繰り部６４の大きさをより大きくし、円形基台４６部分を外周方向へ伸長し易くするのが好ましい。
【００５１】
図６（Ｂ）を参照すると、本発明第２実施形態の切削ブレード２８Ｂの縦断面図が示されている。本実施形態は、図６（Ａ）に示した切削ブレード２８Ａの円形基台４６をより厚い円形基台４６´にしたものであり、この場合には、円形ハブ４８´部分に形成する円形座繰り部６４´をより深く形成して、環状バランス部６６で高速回転時のバランスを取るようにする。本実施形態の作用効果は、図６（Ａ）に示した第１実施形態の作用効果と同様である。
【００５２】
図７（Ａ）を参照すると、本発明第３実施形態の切削ブレード２８Ｃの縦断面図が示されている。本実施形態の切削ブレード２８Ｃでは、円形座繰り部６８をテーパー状に形成している。
【００５３】
図７（Ｂ）を参照すると、本発明第４実施形態の切削ブレード２８Ｄの縦断面図が示されている。本実施形態では、円形座繰り部７０の側面と底面とを円弧状に接続している。図７（Ａ）及び図７（Ｂ）に示すような実施形態においても、図６（Ａ）に示した第１実施形態と同様な作用効果を達成することができる。
【００５４】
図８を参照すると、本発明第５実施形態の切削ブレード２８Ｅの縦断面図が示されている。本実施形態の切削ブレード２８Ｅは、円形ハブ４８に深さの深い（例えば３ｍｍ〜５ｍｍ）環状座繰り部７２を形成し、環状座繰り部７２の外周側を環状バランス部６６としたものである。
【００５５】
このように、円形ハブ４８に環状座繰り部７２を形成した場合にも、切削ブレード２８Ｅの高速回転時の基台４６側と切刃５０側との伸長量を概略同等とすることができ、切刃５０の倒れを防止することができる。
【００５６】
図９を参照すると、本発明第６実施形態の切削ブレード２８Ｆの縦断面図が示されている。本実施形態の切削ブレード２８Ｆでは、円形基台４６の外周と円形ハブ４８の基部とを接続する環状テーパー部６０´のハブ側の厚さを厚くし、環状テーパー部６０´の円形ハブ４８との接続部分に環状の切欠き７４を形成している。
【００５７】
このように、環状テーパー部６０´の円形ハブ４８との接続部分に環状の切欠き７４を形成することにより、切削ブレード２８Ｆ高速回転時に基台４６の外周側への伸び量を大きくすることができ、基台４６側と切刃５０側との伸長量を概略同等とすることができるため、切刃５０の倒れを防止することができる。
【図面の簡単な説明】
【００５８】
【図１】切削装置の外観斜視図である。
【図２】フレームと一体化されたウエーハを示す斜視図である。
【図３】切削ブレードをスピンドルに装着する様子を示す分解斜視図である。
【図４】マウントフランジ取り付け構造の他の実施形態を示す分解斜視図である。
【図５】従来の切削ブレードの縦断面図である。
【図６】図６（Ａ）は本発明第１実施形態の縦断面図であり、図６（Ｂ）は第２実施形態の縦断面図である。
【図７】図７（Ａ）は第３実施形態の縦断面図であり、図７（Ｂ）は第４実施形態の縦断面図である。
【図８】第５実施形態の縦断面図である。
【図９】第６実施形態の縦断面図である。
【符号の説明】
【００５９】
２    切削装置
１８    チャックテーブル
２４    切削手段
２６    スピンドル
２８，２８Ａ〜２８Ｆ    切削ブレード
４６    円形基台
４８    円形ハブ
５０    切刃
６４，６４´，６８，７０    円形座繰り部
６６    環状バランス部
７２    環状座繰り部
７４    環状切欠き
【図１】
2009269158.tif 000003
【図２】
2009269158.tif 000004
【図３】
2009269158.tif 000005
【図４】
2009269158.tif 000006
【図５】
2009269158.tif 000007
【図６】
2009269158.tif 000008
【図７】
2009269158.tif 000009
【図８】
2009269158.tif 000010
【図９】
2009269158.tif 000011